【手続補正書】
【提出日】平成15年12月18日(2003.12.18)
【手続補正１】
【補正対象書類名】明細書
【補正対象項目名】特許請求の範囲
【補正方法】変更
【補正の内容】
【特許請求の範囲】
【請求項１】
商品コード入力手段とレシート印字発行手段とを備え、入力された商品コードの商品についてレシート発行を含む商品販売登録処理を実行する商品販売登録処理手段と、
顧客のタイプを特定するタイプコード毎に広告メッセージを電子情報の形態で格納する広告メッセージファイルと、
顧客コード毎に前記タイプコードを格納する顧客ファイルと、
商品販売登録処理に際して前記顧客コードを入力する顧客コード入力手段と、
前記顧客コード入力手段によって入力された前記顧客コードに基づいて前記顧客ファイルから対応する前記タイプコードを検索して選出をするタイプコード検索手段と、
前記タイプコード検索手段によって選出された前記タイプコードに基づいて前記広告メッセージファイルから対応する前記広告メッセージを取り出して前記レシート印字発行手段によってレシートに印字する広告メッセージ出力手段と、
を備える商品販売登録処理装置。
【請求項２】
商品コード毎にタイプコードを格納する商品広告ファイルと、
顧客コード入力手段によって顧客コードが入力されて商品販売登録処理が実行される商品について前記商品広告ファイルから前記タイプコードを検索し、検索した前記タイプコードを入力された顧客コードに対応付けて購入履歴として顧客ファイルに格納する顧客ファイル作成手段と、
をさらに備える請求項１記載の商品販売登録処理装置。
【請求項３】
商品販売登録処理に際して顧客コード入力手段によって顧客コードが入力された場合、入力された前記顧客コードに対応する購入履歴の有無を判定する購入履歴有無判定手段をさらに備え、タイプコード検索手段は、入力された前記顧客コードに対応する購入履歴はないと前記購入履歴有無判定手段が判定した場合には商品販売登録処理が実行される商品に対応するタイプコードを商品広告ファイルから検索する請求項２記載の商品販売登録処理装置。
【請求項４】
入力された顧客コードに基づいて所定の顧客管理処理を行なう機能を実行させるためのプログラムを記録したコンピュータ読み取り可能な記録媒体であって、
入力された前記顧客コードに基づいて前記顧客コード毎に顧客のタイプを特定するタイプコードを格納する顧客ファイルから対応する前記タイプコードを検索して選出をするタイプコード検索機能と、
前記タイプコード検索機能によって選出された前記タイプコードに基づいて前記タイプコード毎に広告メッセージを電子情報の形態で格納する広告メッセージファイルから対応する前記広告メッセージを取り出してレシートに印字する広告メッセージ出力機能と、
をコンピュータに実行させるプログラムを記録したコンピュータ読み取り可能な記録媒体。
【請求項５】
商品コード入力手段とレシート印字発行手段とを備え、入力された商品コードの商品についてレシート発行を含む商品販売登録処理を実行する商品販売登録処理手段と、
複数の要素の組合せによって類別される顧客のタイプを特定するタイプコード毎に広告メッセージを電子情報の形態で格納する広告メッセージファイルと、
顧客コード毎に前記タイプコードを格納する顧客ファイルと、
商品販売登録処理に際して前記顧客コードを入力する顧客コード入力手段と、
前記顧客コード入力手段によって入力された前記顧客コードに基づいて前記顧客ファイルから対応する前記タイプコードを検索して選出をするタイプコード検索手段と、
前記タイプコード検索手段によって選出された前記タイプコードに基づいて前記広告メッセージファイルから対応する前記広告メッセージを取り出して前記レシート印字発行手段によってレシートに印字する広告メッセージ出力手段と、
を備える商品販売登録処理装置。
【請求項６】
前記タイプコード検索手段は、１つのタイプコードのみの選出をする請求項１又は５記載の商品販売登録処理装置。
【手続補正２】
【補正対象書類名】明細書
【補正対象項目名】０００５
【補正方法】変更
【補正の内容】
【０００５】
【課題を解決するための手段】
請求項１記載の商品販売登録処理装置の発明は、商品コード入力手段とレシート印字発行手段とを備え、入力された商品コードの商品についてレシート発行を含む商品販売登録処理を実行する商品販売登録処理手段と、顧客のタイプを特定するタイプコード毎に広告メッセージを電子情報の形態で格納する広告メッセージファイルと、顧客コード毎にタイプコードを格納する顧客ファイルと、商品販売登録処理に際して顧客コードを入力する顧客コード入力手段と、顧客コード入力手段によって入力された顧客コードに基づいて顧客ファイルから対応するタイプコードを検索して選出をするタイプコード検索手段と、タイプコード検索手段によって選出されたタイプコードに基づいて広告メッセージファイルから対応する広告メッセージを取り出してレシート印字発行手段によってレシートに印字する広告メッセージ出力手段とを備える。


【手続補正３】
【補正対象書類名】明細書
【補正対象項目名】０００６
【補正方法】変更
【補正の内容】
【０００６】
また、請求項４記載の発明は、入力された顧客コードに基づいて所定の顧客管理処理を行なう機能を実行させるためのプログラムを記録したコンピュータ読み取り可能な記録媒体であって、入力された顧客コードに基づいて顧客コード毎に顧客のタイプを特定するタイプコードを格納する顧客ファイルから対応するタイプコードを検索して選出をするタイプコード検索機能と、タイプコード検索機能によって選出されたタイプコードに基づいてタイプコード毎に広告メッセージを電子情報の形態で格納する広告メッセージファイルから対応する広告メッセージを取り出してレシートに印字する広告メッセージ出力機能と、をコンピュータに実行させるプログラムを記録したコンピュータ読み取り可能な記録媒体である。
また、請求項５記載の商品販売登録処理装置の発明は、商品コード入力手段とレシート印字発行手段とを備え、入力された商品コードの商品についてレシート発行を含む商品販売登録処理を実行する商品販売登録処理手段と、複数の要素の組合せによって類別される顧客のタイプを特定するタイプコード毎に広告メッセージを電子情報の形態で格納する広告メッセージファイルと、顧客コード毎に前記タイプコードを格納する顧客ファイルと、商品販売登録処理に際して前記顧客コードを入力する顧客コード入力手段と、前記顧客コード入力手段によって入力された前記顧客コードに基づいて前記顧客ファイルから対応する前記タイプコードを検索して選出をするタイプコード検索手段と、前記タイプコード検索手段によって選出された前記タイプコードに基づいて前記広告メッセージファイルから対応する前記広告メッセージを取り出して前記レシート印字発行手段によってレシートに印字する広告メッセージ出力手段と、を備える。
さらに、請求項６記載の発明は、請求項１又は５記載の商品販売登録処理装置において、前記タイプコード検索手段は、１つのタイプコードのみの選出をする。
【手続補正４】
【補正対象書類名】明細書
【補正対象項目名】０００７
【補正方法】変更
【補正の内容】
【０００７】
したがって、商品販売登録処理手段によって商品販売登録処理が実行されるに際し、顧客コード入力手段によって顧客コードが入力されると、入力された顧客コードに基づいて顧客ファイルから対応するタイプコードが検索されて選出がなされる（タイプコード検索手段、タイプコード検索機能）。続いて、広告メッセージ出力手段の機能（広告メッセージ出力機能）が実行されると、選出されたタイプコードに基づいて、広告メッセージを電子情報の形態で格納する広告メッセージファイルから対応する広告メッセージが取り出され、取り出された広告メッセージはレシート印字発行手段によってレシートに印字される。


【手続補正５】
【補正対象書類名】明細書
【補正対象項目名】０００８
【補正方法】変更
【補正の内容】
【０００８】
つまり、請求項１、４、５記載の発明によれば、顧客毎に顧客ファイルに格納されたタイプコードを検索キーとして広告メッセージを広告メッセージファイルから取り出し、取り出された広告メッセージをレシートに印字する、という処理がなされる。この場合、請求項２記載の発明は、請求項１記載の商品販売登録処理装置において、商品コード毎にタイプコードを格納する商品広告ファイルと、顧客コード入力手段によって顧客コードが入力されて商品販売登録処理が実行される商品について商品広告ファイルからタイプコードを検索し、検索したタイプコードを入力された顧客コードに対応付けて購入履歴として顧客ファイルに格納する顧客ファイル作成手段とをさらに備える。したがって、顧客の商品購入履歴に応じたタイプコードが商品広告ファイルから検索されて顧客ファイルに自動登録される。これにより、顧客ファイルにその顧客に対する広告宣伝効果が高い広告メッセージのタイプコードを特別な操作を必要とすることなく自動登録することができる。また、請求項３記載の発明は、請求項２記載の商品販売登録処理装置において、商品販売登録処理に際して顧客コード入力手段によって顧客コードが入力された場合、入力された顧客コードに対応する購入履歴の有無を判定する購入履歴有無判定手段をさらに備え、タイプコード検索手段は、入力された顧客コードに対応する購入履歴はないと購入履歴有無判定手段が判定した場合には商品販売登録処理が実行される商品に対応するタイプコードを商品広告ファイルから検索する。したがって、顧客ファイルにタイプコードが格納されていない場合であっても、購入商品に関連する広告メッセージのタイプコードが商品広告ファイルから検索され、そのタイプコードに対応する広告メッセージがレシートに印字される。


【手続補正６】
【補正対象書類名】明細書
【補正対象項目名】００１７
【補正方法】変更
【補正の内容】
【００１７】
図６は、広告メッセージをレシートに印字する処理の流れを示すフローチャートである。本実施の形態のＰＯＳ端末１では、広告情報マスタファイル１９内の広告メッセージファイル２２に格納された所定の広告メッセージをレシートに印字することができる（ステップＳ４参照）。つまり、図６に示すフローチャートは、商品販売登録処理の実行時における締め処理後のサブルーチンであり、締め処理がなされると、データ入力部９による顧客コード入力の有無が判定される（ステップＳ１）。ステップＳ１で顧客コードの入力があったと判定された場合には、顧客ファイル２１が検索され、入力された顧客コードに購入履歴（購入日、購入商品、購入金額及びタイプコード）があるかどうかが判定される（ステップＳ２）。例えば、図３に示す顧客コードの場合には、購入履歴ありと判定される。ここで、図３の例では、購入履歴は１つだけしか登録されていないが、実際には複数個の購入履歴が登録されている場合がある。そこで、続くステップＳ３では、１つの購入履歴（タイプコード）のみの選出処理が実行される。ここに、タイプコード検索手段の機能（タイプコード検索機能）が実行される。このステップＳ３の処理では、例えば、最新の購入履歴を選出したり、あるいは、商品広告ファイル２０を参照して購入履歴中の購入商品から商品部門を検索し、最も多く登録されている商品部門の商品中の最新登録商品を選出したりする。そして、１つのタイプコードが選出されたら、広告メッセージファイル２２を参照し、選出されたタイプコードに対応する広告メッセージを取り出し、これをＲ／Ｊプリンタ７によってレシートに印字しレシート発行を行う（ステップＳ４）。ここに、広告メッセージ出力手段の機能（広告メッセージ出力機能）が実行される。


【手続補正７】
【補正対象書類名】明細書
【補正対象項目名】００２０
【補正方法】変更
【補正の内容】
【００２０】
【発明の効果】
請求項１、５記載の商品販売登録処理装置の発明及び請求項４記載のこれに用いるプログラムを記録した記録媒体の発明は、顧客毎に顧客ファイルに格納されたタイプコードを検索キーとして広告メッセージを広告メッセージファイルから取り出し、取り出された広告メッセージをレシートに印字するようにしたので、顧客ファイルに格納するタイプコードいかんによって、より高い広告宣伝効果が見込めるような顧客に広告メッセージを伝達することができる。